(57)【要約】【課題】本実施形態は、多種の放送波種別の種類を識別可能とし、受信機や表示器の処理能力に応じた放送種別とそのチャンネル(サービス)を選択可能で、操作を安定かつ容易としたテレビジョン受信機を提供する。【解決手段】実施形態の受信機によれば、ＢＳチューナと、ＣＳチューナと、受信可能な放送波種別の放送波をサーチし、前記放送波種別ごとの前記放送波の放送信号に含まれるサービス識別を検出し、前記サービス識別を情報として保持する第１の制御部と、受信する放送波のサービスを選択するために、ＢＳボタンと、ＣＳボタンと、高度ボタンと、前記放送波種別ごとのサービスに対応したチャンネルを変更するための数字キーを有するリモートコントローラと、前記保持されている前記サービス識別の中から選択される任意のサービス識別の放送信号のうち少なくとも映像信号をデコードし表示用出力を得る第２の制御部を備える。【選択図】図１５
2020080558.tif 000002
【特許請求の範囲】
【請求項１】
ＢＳデジタル放送あるいは高度ＢＳデジタル放送を受信するためのＢＳチューナと、
広帯域ＣＳデジタル放送あるいは高度広帯域ＣＳデジタル放送を受信するためのＣＳチューナと、
受信可能な放送波種別の放送波をサーチし、前記放送波種別ごとの前記放送波の放送信号に含まれるサービス識別を検出し、前記サービス識別を情報として保持する第１の制御部と、
受信する放送波のサービスを選択するために、ＢＳ放送を受信するときに選択されるＢＳボタンと、ＣＳ放送を受信するときに選択されるＣＳボタンと、前記高度ＢＳデジタル放送あるいは前記高度広帯域ＣＳデジタル放送を受信するときに選択される高度ボタンと、前記放送波種別ごとのサービスに対応したチャンネルを変更するための数字キーとを有するリモートコントローラと、
前記保持されている前記サービス識別の中から前記数字キーの操作により選択される任意のサービス識別の放送信号のうち少なくとも映像信号をデコードし表示用出力を得る第２の制御部とを備える、テレビジョン受信機。
【発明の詳細な説明】
【技術分野】
【０００１】
本実施形態は、テレビジョン受信機に関する。
【背景技術】
【０００２】
最近テレビジョン放送分野において、２０１８年にサービス開始を目指した新しい放送（高度ＢＳデジタル、高度広帯域ＣＳデジタル）が検討されている。このため今後のテレビジョン放送の放送波種別は、従来の放送波種別である地上デジタル、ＢＳデジタル、広帯域ＣＳデジタルに加え、高度ＢＳデジタル、高度広帯域ＣＳデジタルが、混在することになる。高度ＢＳデジタルにおいては、４Ｋ画質と８Ｋ画質の放送が計画されている。また高度広帯域ＣＳデジタルにおいては、４Ｋ画質の放送が計画されている。
【０００３】
非特許文献３および６に示されているように現状では受信装置は、高度ＢＳデジタル放送において４Ｋ画質のＢＳ放送と８Ｋ画質のＢＳ放送を区別することなく受信することになっている。
【先行技術文献】
【特許文献】
【０００４】
【特許文献１】特開２０１１−０５５２０号公報
【特許文献２】特開２０１１−２２３３５３号公報
【特許文献３】特開２０１６−１８１８７１号公報
【非特許文献】
【０００５】
【非特許文献１】「デジタル放送に使用する番組配列情報  標準規格」  ARIB STD-B10 5.9版  2016年9月29日改定、一般社団法人  電波産業会
【非特許文献２】「標準規格（望ましい仕様）」  ARIB STD-B21 5.8版  2016年3月25日改定、一般社団法人  電波産業会
【非特許文献３】「デジタル放送におけるＭＭＴによるメディアトランスポート方式」  ARIB STD-B60 1.8版  2016年9月29日改定、一般社団法人  電波産業会
【非特許文献４】「地上デジタルテレビジョン放送運用規定  技術資料」  ARIB TR-B14 6.2版  2016年7月6日改定、一般社団法人  電波産業会
【非特許文献５】「ＢＳ／広帯域ＣＳデジタル放送運用規定  技術資料」  ARIB TR-B15 7.1版  2016年7月6日改定、一般社団法人  電波産業会
【非特許文献６】「高度広帯域衛星デジタル放送運用規定  技術資料」  ARIB TR-B39 1.0版  2016年7月6日改定、一般社団法人  電波産業会
【発明の概要】
【発明が解決しようとする課題】
【０００６】
従来の受信装置としては、地上デジタルテレビジョン、ＢＳデジタル、広帯域ＣＳデジタルである既存の全ての放送波種別の信号を受信可能な受信装置が存在する。
【０００７】
今後の新しい放送波種別（高度ＢＳデジタル、高度広帯域ＣＳデジタル）の放送に対応するために、従来のように全ての放送波種別の信号を受信可能な受信装置が開発される見込みである。
【０００８】
(i)しかし新しい放送波種別の放送の開始に対応して、追加された放送波種別を含めて全ての放送波種別や全ての画質の種類を受信可能とする受信機装置が必要ではあるとは限らない。特に高度ＢＳデジタル放送では、８Ｋ画質の放送もあり、８Ｋ画質の放送を受信可能とするためには超高精細度の表示器や８Ｋデコードが必要となる。このため受信機の価格は一般的に高価なものとなる。
【０００９】
(ii)また放送波種別が増えることが、選局に必要となる放送波種別のボタンの数が増える。このため、例えばテレビ受信機を操作するリモートコントローラに配置される放送波種別のボタンが増加し、リモートコントローラのボタン配置が複雑になったり、リモートコントローラの形状を大きくする必要性が出てきたりする可能性もある。
【００１０】
(iii)さらにまた放送波種別が増えることで、ユーザが視聴したい番組を選局する際に、放送波種別の選択において混乱をきたす可能性もある。
【００１１】
そこで本実施形態は、多種の放送波種別の種類を識別可能とし、受信機や表示器の処理機能力に応じた放送種別とそのチャンネル(サービス)を選択可能で、操作を安定かつ容易としたテレビジョン受信機を提供することを目的とする。
【課題を解決するための手段】
【００１２】
一実施形態によれば、ＢＳデジタル放送あるいは高度ＢＳデジタル放送を受信するためのＢＳチューナと、
広帯域ＣＳデジタル放送あるいは高度広帯域ＣＳデジタル放送を受信するためのＣＳチューナと、
受信可能な放送波種別の放送波をサーチし、前記放送波種別ごとの前記放送波の放送信号に含まれるサービス識別を検出し、前記サービス識別を情報として保持する第１の制御部とを備える。
【００１３】
また、受信する放送波のサービスを選択するために、ＢＳ放送を受信するときに選択されるＢＳボタンと、ＣＳ放送を受信するときに選択されるＣＳボタンと、高度ＢＳ放送あるいは高度広帯域ＣＳデジタル放送を受信するときに選択される高度ボタンと、前記放送波種別ごとのサービスに対応したチャンネルを変更するための数字キーとを有するリモートコントローラと、
前記保持されている前記サービス識別の中から前記数字キーの操作により選択される任意のサービス識別の放送信号のうち少なくとも映像信号をデコードし表示用出力を得る第２の制御部とを備える、テレビジョン受信機が提供される。
【図面の簡単な説明】
【００１４】
【図１】図１は、一実施形態におけるテレビジョン受信機の概略的構成を示す図である。
【図２Ａ】図２Ａは、放送局の概略的な構成を示す図である。
【図２Ｂ】図２Ｂは、放送波の伝送経路における主なストリームおよび情報を説明するための図である。
【図２Ｃ】図２Ｃは、一実施形態におけるテレビジョン受信機の統合制御部内の構成例を示す図である。
【図３Ａ】図３Ａは、非特許文献１に記載のサービスリスト記述子の全体構成を示す図である。
【図３Ｂ】図３Ｂは、サービスリスト記述子に配置されているサービス形式種別のビットアサインを示す説明図である。
【図４】図４は、非特許文献１に記載のサービス記述子の全体構成を示す図である。
【図５】図５は、従来のテレビジョン受信機が表示器に表示するサービスリストの表示例を示す図である。
【図６】図６は、従来のテレビジョン受信機の、サービス識別にもとづくサービスリスト（受信可能周波数リスト）を作成する場合の処理フローの一例を示す図である。
【図７】図７は、従来のテレビジョン受信機が作成するサービスリストの一例である。
【図８】図８は、受信機の受信可能な放送波種別と表示器の表示画素数の組み合わせの例を示した図である。
【図９】図９は、図３Ｂに示したサービス形式種別のビットアサインに対して、一実施形態における拡張を行った場合のビットアサインの例を示す図である。
【図１０Ａ】図１０Ａは、一実施形態におけるテレビジョン受信機の、サービス識別にもとづくサービスリスト（受信可能周波数リスト）を作成する場合の処理フローの一例を示す図である。
【図１０Ｂ】図１０Ｂは、一実施形態におけるテレビジョン受信機の、サービス識別にもとづくサービスリスト（受信可能周波数リスト）を作成する場合の処理フローの他の例を示す図である。
【図１１Ａ】図１１Ａは、一実施形態におけるテレビジョン受信機が作成するサービスリストの一例である。
【図１１Ｂ】図１１Ｂは、一実施形態におけるテレビジョン受信機が作成するサービスリストの他の例である。
【図１２Ａ】図１２Ａは、一実施形態におけるレコーダと、表示可能な画素数が異なる表示器との接続の形態を示した図である。
【図１２Ｂ】図１２Ｂは、図１２Ａに示すレコーダが作成するサービスリストの例である。
【図１２Ｃ】図１２Ｃは、図１２Ａに示すレコーダが作成したサービスリストをもとに、８Ｋ対応向けに表示するサービスリストの例である。
【図１２Ｄ】図１２Ｄは、図１２Ａに示すレコーダが作成したサービスリストをもとに、４Ｋ対応向けに表示するサービスリストの例である。
【図１２Ｅ】図１２Ｅは、図１２Ａに示すレコーダが作成したサービスリストをもとに、２Ｋ対応向けに表示するサービスリストの例である。
【図１３Ａ】図１３Ａは、図３Ｂに示したサービス形式種別のビットアサインに対して拡張を行った場合の他の例を示す図である。
【図１３Ｂ】図１３Ｂは、図３Ｂに示したサービス形式種別のビットアサインに対して拡張を行った場合の他の例を示す図である。
【図１４】図１４は、リモートコントローラの各種操作ボタンの概要を説明するために示した図である。
【図１５】図１５は、放送波種別選択ボタンの各種実施形態と、その放送波種別選択ボタンを用いた場合の選局方法の例をテーブルにまとめて示す図である。
【図１６】図１６は、放送波種別選択ボタンの各種実施形態と、その放送波種別選択ボタンを用いた場合の選局方法のさらなる例をテーブルにまとめて示す図である。
【図１７】図１７（ａ）〜図１７（ｄ）は、先の図５を参照して説明した第１例〜第４例によるリモートコントローラの主なボタン配置の外観を示す図である。
【図１８】図１８（ａ）〜図１８（ｄ）は、先の図５を参照して説明した第５例〜第８例によるリモートコントローラの主なボタン配置の外観を示す図である。
【図１９】図１９（ａ）〜図１９（ｃ）は、先の図６を参照して説明した第９例〜第１１例によるリモートコントローラの主なボタン配置の外観を示す図である。
【図２０】図２０は、リモートコントローラのボタンのさらなる変形例を示す部分的斜視図である。
【図２１】図２１は、リモートコントローラにより操作されるテレビジョン受信機の一動作例を簡略化して示すフローチャートである。
【発明を実施するための形態】
【００１５】
以下、実施の形態について図面を参照して説明する。
【００１６】
図１は、一実施例が適用されたテレビジョン受信機１００の概略構成である。テレビジョン受信機１００は、地上デジタルテレビジョン放送を受信するための地デジチューナ１０１、ＢＳデジタル放送あるいは高度ＢＳデジタル放送を受信するためのＢＳチューナ１０２、広帯域ＣＳデジタル放送あるいは高度広帯域ＣＳデジタル放送を受信するためのＣＳチューナ１０３を備える
地上デジタルテレビジョン放送が受信される場合、放送信号は地デジチューナ１０１で受信され、受信した放送信号の中から選局されたチャンネルのストリームは、２Ｋデコーダ１２１に入力される。
【００１７】
ＢＳデジタル放送が受信される場合、放送信号はＢＳチューナ１０２で受信され、受信した放送信号の中から選局されたチャンネルのストリームは、２Ｋデコーダ１３１、又は４Ｋデコーダ１３２、又は８Ｋデコーダ１３３に入力される。なお８Ｋデコーダ１３３に関しては、これが搭載されていないテレビジョン受信機が存在する場合もある。
【００１８】
広帯域ＣＳデジタル放送が受信される場合、該放送信号はＣＳチューナ１０３で受信され、受信信号の中から選局されたチャンネルのストリームは、２Ｋデコーダ１４１又は４Ｋデコーダ１４２に入力される。
【００１９】
セレクタ１５０は、２Ｋデコーダ１２１、２Ｋデコーダ１３１、４Ｋデコーダ１３２、８Ｋデコーダ１３３、２Ｋデコーダ１４１又は４Ｋデコーダ１４２の何れかの映像あるいはオーディオのデコード出力を、表示器１７２ａあるいは１７２ｂに表示したりスピーカ１７４から出力したりするためのパスの切替えを行う。セレクタ１５０にて選択されたデコード出力は、コンテンツ処理部（映像・オーディオ・字幕データ処理部を含む）１６０に入力される。
【００２０】
コンテンツ処理部１６０は、映像信号、オーディオ信号、字幕データなどのコンテンツを処理する場合、色調整、輝度調整、音量調整、字幕表示オンオフ制御、などを行う。
【００２１】
コンテンツ処理部１６０から出力された映像信号は、表示信号出力部１７１において、例えば８Ｋ表示能力を有する表示器１７２ａの機能及びサイズに適したガンマ補正などが行われ、表示器１７２ａに出力される。またコンテンツ処理部１６０から出力されたオーディオ信号は、オーディオ信号出力部１７３においてオーディオシステムに応じたオーディオチャンネルに変換されて、スピーカ１７４に出力される。
【００２２】
なお受信装置（例えば８Ｋデコーダ１３３を備えていない装置）によっては、４Ｋの画素数までを表示できる能力を有し、この能力に適応した能力の表示器１７２ｂが搭載されている場合もある。
【００２３】
統合制御部１８０は、ネットワークインターフェース１８１、携帯端末連携インターフェース１８２、リモートコントローラインターフェース１８３などを備える。なお図では、インターフェースをＩ／Ｆと示している。
【００２４】
ネットワークインターフェース１８１は、インターネットを介してネットワークサービス情報、ネット配信動画などを受信する場合などに利用される。携帯端末連携インターフェース１８２は、携帯端末との通信を行う場合などに利用される。リモートコントローラインターフェース１８３は、リモートコントローラ２００からの各種コマンドを受信するために利用される。
【００２５】
リモートコントローラ２００の操作に応じて、統合制御部１８０は、上記した各チューナ、各デコーダやセレクタ１５０等を制御し、視聴するチャンネルの選局決定を実行する。
【００２６】
放送局からは、図２Ｂで示すように、放送波伝送路４００を介して、映像ストリーム、音声ストリーム、データ放送ストリームなどのコンテンツの他に、アプリケーション制御情報／サービスデータ／制御データが多重化されて伝送されてくる。
【００２７】
図２Ａは、放送局３００の主な構成を概略的に示している。放送局３００は、映像エンコーダ３０１、音声エンコーダ３０２、字幕エンコーダ３０３、その他伝送制御情報等の制御データやサービスデータ、受信機側で動作するアプリケーション２１５を制御するアプリケーション制御情報などを生成する付属データ生成部３０４を備える。また放送局３００は、放送局サーバ３１１、第１のセキュリティー機能３１２および送受信部３１３と連携している。
【００２８】
付属データ生成部３０４が生成する伝送制御信号には、番組特定情報(PSI:Program Specific Information)や番組配列情報(SI:Service Information)と呼ばれる、番組選択のために規定されている各種情報や番組選択の利便性のために規定された各種情報を含む。
【００２９】
映像エンコーダ３０１、オーディオエンコーダ３０２、字幕エンコーダ３０３、付属データ生成部３０４の各出力はストリーム化されており、これらのストリームは、多重化部３０５において多重化される。多重化されたストリーム（映像ストリーム、音声ストリーム、データ放送ストリーム、アプリケーション制御情報／サービスデータ／制御データ等）は、トランスポートストリームとして送信機３０６に送出され、放送電波によりアンテナから送信される。
【００３０】
なお、映像エンコーダ３０１のコーデック種別は、ＭＰＥＧ−２、Ｈ．２６４(AVC:Advance Video Coding)、Ｈ．２６５（HEVC:High Efficiency Video Coding）のいずれでもよいものとする。
【００３１】
図２Ｂは、放送局３００から放送される放送波伝送路４００を示したものである。図２Ｂで示すように放送波伝送路４００は、映像ストリーム、音声ストリーム、データ放送ストリームなどのコンテンツの他に、アプリケーション制御情報／サービスデータ／制御データが多重化されている。
【００３２】
図２Ｃは、受信装置の統合制御部１８０内の構成例を示す図である。
【００３３】
各種制御部は、図に示されている分類に限定されることはなく、搭載されるアプリケーションにより各種の制御部が増設或いは排除されることができる。図示の例を説明する。制御部１８０ａは、テレビジョン受信機の例えば処理能力情報部として機能する。この制御部１８０ａは、テレビジョン受信機に搭載されているチューナ及びデコーダの処理能力情報を保持している。また制御部１８０ａは、接続された表示器１７２ａ及び又は１７２ｂなどの表示能力情報も保持している。表示器の表示能力情報とは、例えば表示器が表示可能な少なくとも画素数２を含む情報があるが、その他の設定情報であってもよい。表示器１７２ａ及び又は１７２ｂの表示能力情報は、これらの表示器がテレビジョン受信機に接続されたときに、相互認証の通信を行ったときに収集されてもよい。
【００３４】
非特許文献４、非特許文献５に記載されているように、テレビジョン受信機１００は、初期設定として受信地点における全受信可能なチャンネル（サービス）をサーチし、サービス識別(service_id)にもとづくサービスリスト（受信可能周波数リスト）を作成する必要がある。
【００３５】
制御部１８０ｂは、サービス識別・サービス形式種別判定部として機能する。制御部１８０ｂは、例えば初期設定時に、受信可能な範囲の放送波をスキャンし、伝送制御情報としてＮＩＴ(Network Information Table)に含まれて送られてくるサービス識別とサービス形式種別(service_type)を抽出し、サービス識別の値を保存したりサービス形式種別の値を判定したりする機能を備え、また受信可能なサービス識別の判定結果を保存することもできる。また制御部１８０ｂは、伝送制御情報としてＳＤＴ(Service Description Table)に含まれて送られてくるサービス記述子(Service descriptor)に配置されている編成チャンネル名や事業者名を抽出し、編成チャンネル名や事業者名を保存したりする機能を備えている。
【００３６】
ここでサービスとは編成チャンネルのことであり、非特許文献１では「放送事業者が編成する、スケジュールの一環として放送可能な番組の連続」と定義されている。サービスは、伝送制御情報の１つであるＮＩＴ(Network Information Table)の中のサービスリスト記述子に配置されるサービス識別が記述された段階で定義されたものとする。
【００３７】
またサービス識別は、各放送波種別において、チャンネルごとにユニークとなるように割り当てられているIDである。
【００３８】
制御部１８０ｃは、サービスリスト作成部としての機能を備える。この制御部１８０ｃは、制御部１８０ｂにおいて判定されたサービス識別とサービス形式種別をもとにサービスリストを作成して保持することができる。また制御部１８０ｃは、サービス記述子(Service descriptor)に配置されている編成チャンネル名や事業者名をサービスリストに加えることもできる。
【００３９】
制御部１８０ｄは、リモートコントローラ２００から与えられる操作入力の判定をするリモートコントローラ入力判定部として機能する。リモートコントローラ２００からの操作入力は、電源のオンオフ入力、放送波種別選択入力、チャンネル選択入力（１２ポジションキーからの入力、アップダウン選局キーからの入力）、画質調整入力、音量調整入力、などがある。制御部１８０ｄは、操作入力に応じて、操作対象箇所に対して指令を出力する。制御部１８０ｄは、放送種別選択入力を検出した場合、チューナ制御部１８０ｓ、デコーダ制御部１８０ｔ、コンテンツ処理制御部１８０ｕ、各出力制御部１８０ｖなどを制御する。なお操作入力を与えるデバイスとしては、リモートコントローラ２００の他に、携帯端末、或は受信装置の筐体に設けられている操作ボタンであってもよい。
【００４０】
制御部１８０ｅは、サービスリスト選択部として機能する。制御部１８０ｅは、制御部１８０ｃ、制御部１８０ｄなどと連携して動作することができる。例えば、放送種別選択入力を検出した場合、制御部１８０ｃの複数のサービスリストの中から、検出された放送種別に対応するチャンネルを使用チャンネルとして設定する。そして、チャンネル選択（サービス選択）入力が検出されたとき、サービスリストの中から、選択されたチャンネル（サービス）に対応するチャンネルの情報（選局データ）を出力し、チューナ制御を行う。
【００４１】
また統合制御部１８０は、さらに映像オーディオコンテンツとは、異なるサービスデータ、制御データなどを受信して解析するサービスデータ解析部１８０ｗを有する。
【００４２】
さらに追加説明する。チューナ制御部１８０ｓは、チューナの選択や切換え、チャンネルの選択や切換えのために動作する。デコーダ制御部１８０ｔは、各種デコーダの選択や切換えのために動作する。コンテンツ処理制御部１８０ｕは、コンテンツ処理部１６０の動作形態（色調整、輝度調整、音量調整、字幕表示オンオフ制御など）を制御する。各出力制御部１８０ｖは、オーディオ信号の出力形態の選択（ステレオ出力、モノラル出力、５チャンネル出力など）、映像信号の出力形態の選択（８Ｋ、４Ｋ、フレーム周波数などの選択）を行う。したがって、各出力制御部１８０ｖは、オーディオシステムのタイプ情報（（ステレオ、モノラル、チャンネル数など）、接続されている表示器の表示能力情報（（８Ｋ、４Ｋ等の画素数の情報、適応フレーム周波数情報など）を備えている。
【００４３】
図３Ａは、非特許文献１に記載のサービスリスト記述子の全体構成を示している。このサービスリスト記述子には、サービス識別（service_id)３０１と、サービスタイプ（service_type）３０２が配置されている。サービス識別は、いわゆるチャンネルを識別しており、サービスタイプは、当該チャンネルが属するサービス形式種別（放送種別）を表している。このサービスリスト記述子を監視することで、現在、どのような放送種別のどのチャンネルを受信しているかを判断可能である。
【００４４】
図３Ｂは、サービスリスト記述子に配置されているサービス形式種別のビットアサインを示している。
【００４５】
ここで、サービス形式種別＝０ｘ０１のデジタルＴＶサービスは、映像ストリームの視聴を主とするサービス（チャンネル）であり、一般ユーザが視聴するチャンネルはこのサービスに該当する。
【００４６】
図４は、非特許文献１に記載のサービス記述子の全体構成を示している。図中の４０１に示すＮ文字のcharが事業者名を表している。また図中の４０２に示すＮ文字のcharが、サービス名（チャンネル名）を表している
図５は、従来のテレビジョン受信機Ａが、上記に示した過程により作成したサービスリストを、表示器１７２ａあるいは表示器１７２ｂに表示する場合の表示内容の一例である。
【００４７】
図６は、従来のテレビジョン受信機Ａが、サービス識別にもとづくサービスリスト（受信可能周波数リスト）を作成する場合の処理フローの一例である。
【００４８】
なお図６の処理フローの説明は、放送波種別がＢＳデジタルとして説明するが、衛星を使った放送における既存の放送波種別の他の例、例えば広帯域ＣＳデジタルの場合でも、同様の処理フローとなる。また、図６の処理フローの説明における従来のテレビジョン受信機Ａは、地上デジタルテレビジョン、ＢＳデジタル、広帯域ＣＳデジタルの放送波種別を受信可能とする。また従来のテレビジョン受信機Ａは、図３Ｂに示すサービス識別子のビットアサインしか認識できないものとする。テレビジョン受信機Ａは、受信できる放送波種別すべてに対して順次サービスリストを作成していく。
【００４９】
テレビジョン受信機Ａは、チャンネルサーチの処理（サービスリスト作成の処理）を開始（Ｓ６００）すると、設定する周波数を規定の周波数群の下限に設定（Ｓ６０１）する。テレビジョン受信機Ａは、設定した周波数においてＮＩＴ(Network Information Table)の検出を行う（Ｓ６０２）。
【００５０】
テレビジョン受信機Ａは、設定した周波数においてＮＩＴを認識したら（Ｓ６０２  Ｙｅｓ）、そのＮＩＴの中からサービスリスト記述子を抽出する（Ｓ６０３）。テレビジョン受信機Ａは、抽出したサービス記述子の中からサービス識別を抽出し（Ｓ６０４）、さらにサービス形式種別を抽出する（Ｓ６０５）。
【００５１】
テレビジョン受信機Ａは、サービス形式種別の抽出を行う（Ｓ６０５）と、その値の判定を行う（Ｓ６０６）。
【００５２】
判定の結果、サービス形式種別の値が「デジタルＴＶサービス＝０ｘ０１」の場合（Ｓ６０６  Ｙｅｓ）、テレビジョン受信機Ａは、Ｓ６０５で抽出したサービス識別をサービスリストに追加する（Ｓ６０７）。  テレビジョン受信機Ａは、設定されている周波数が規定の周波数群の上限に達しているかを確認する（Ｓ６０８）。
【００５３】
判定の結果、上限に達していないと判断した場合（Ｓ６０８  Ｎｏ）、テレビジョン受信機Ａは、チューナに設定する周波数を更新する（Ｓ６０９）。以降、テレビジョン受信機Ａは、チューナに設定する周波数が規定の周波数群の上限に達するまで、Ｓ６０２からＳ６０９の処理を繰り返す。
【００５４】
判定の結果、上限に達したと判断した場合（Ｓ６０８  Ｙｅｓｅ）、チャンネルサーチの処理（サービスリスト作成の処理）を終了する（Ｓ６１０）。
【００５５】
Ｓ６０３からＳ６０９の処理を繰り返す過程で、Ｓ６０５で抽出したサービス識別をチャンネルリストに追加していく（Ｓ６０７）。
【００５６】
さらにテレビジョン受信機Ａは、サービスリストを作成することで認識したサービス（チャンネル）ごとに送られてくる放送波の中からＳＤＴ(Service Description Table)を抽出し、その中に含まれるサービス記述子(Service descriptor)（図４参照）に配置されている編成チャンネル名や事業者名を抽出することで、これらの情報をサービスリストに追加していくことができる。
【００５７】
図７は、テレビジョン受信機Ａが、図６に示した処理により作成したサービスリストに保存されている情報の一例である。図７が、ＢＳデジタル放送に対してテレビジョン受信機Ａが作成したサービスリストである。
【００５８】
先に述べたように、今後新しい放送波種別（高度ＢＳデジタル、高度広帯域ＣＳデジタル）が追加された場合、放送波を受信する受信機の能力と、受信した放送波を表示する表示器の能力の組み合わせは色々な場合があり得る。
【００５９】
受信機の放送波種別の受信能力と、表示器の表示能力の組み合わせは、例えば受信機が８Ｋ画質の放送を受信する能力があり、表示器が４Ｋ画質の放送までを表示する能力がある組み合わせが考えられる。また、例えば受信機が高度ＢＳデジタル放送、高度広帯域ＣＳデジタル放送を受信する能力があり、表示器が２Ｋ画質の放送まで表示する能力がある組み合わせも考えられる。また１つの受信機に、表示する能力が異なる複数の表示器が接続される場合も考えられる。
【００６０】
図８は、受信機の受信可能な放送波種別と表示器の表示能力（画素数）の組み合わせの例を示したものである。
【００６１】
このように受信可能な放送波種別と表示器の表示能力との種々の組み合わせにおいて、表示器の表示能力に合わせてサービス（チャンネル）を選択して表示できることが望ましい。
【００６２】
そこで一実施形態としてテレビジョン受信機１００は、受信可能な放送波種別に対して作成したサービスリストをもとに、表示器１７２の表示能力に合わせてサービス（チャンネル）を選択することを可能とするために、図３Ｂに示したサービス形式種別を拡張して利用する。
【００６３】
図９は、上記図３Ｂに示したサービス形式種別のビットアサインに対して拡張した例を示している。
【００６４】
９０２は、拡張したビットアサイン０ｘＡＥと、その値の意味である超高精細度４ＫＴＶサービスを示している。超高精細度４ＫＴＶサービスは、放送波種別が高度ＢＳデジタルまたは高度広帯域ＣＳデジタルであり、画素数が４Ｋ画質であるサービス種別を意味している。４Ｋ専用サービスは、ビットアサイン０ｘＡＤを使用してもよい。
【００６５】
同様に９０３は、拡張したビットアサイン０ｘＡＦと、その意味である超高精細度８ＫＴＶサービスを示している。超高精細度８ＫＴＶサービスは、放送波種別が高度ＢＳデジタルまたは高度広帯域ＣＳデジタルであり、画素数が８Ｋ画質のサービス種別を意味している。
【００６６】
なお、９０２、９０３の追加に伴い、従来からある９０１のビットアサイン０ｘ０１は、地上デジタルテレビジョン、ＢＳデジタル、広帯域ＣＳデジタルの放送波種別である場合のサービス種別を意味することに変更する。
【００６７】
図１０Ａは、図９に示した拡張したサービス形式種別を持つサービスリスト記述子が配置されたＮＩＴが送られてくる場合に、一実施形態におけるテレビジョン受信機１００が、サービス識別にもとづくサービスリスト（受信可能周波数リスト）を作成する処理フローの一例を示した図である。なお図１０Ａの処理フローの説明におけるテレビジョン受信機１００は、地上デジタルテレビジョン、ＢＳデジタル、広帯域ＣＳデジタル、高度ＢＳデジタル、高度広帯域ＣＳデジタルの全ての放送波種別を受信可能とする。また図１０Ａの処理フローは、放送波種別が高度ＢＳデジタルとして説明するが、他の放送波種別、例えば高度広帯域ＣＳデジタルの場合でも、同様の処理フローとなる。
【００６８】
サービス識別・サービス形式種別判定部１８０ｂは、チャンネルサーチの処理を開始（Ｓ１０００）すると、ＢＳデジタルチューナの円偏波設定を右旋円偏波に設定し（Ｓ１００１）、設定する周波数を規定の周波数群の下限に設定（Ｓ１００２）する。サービス識別・サービス形式種別判定部１８０ｂは、設定した周波数においてＮＩＴ(Network Information Table)の検出を行う（Ｓ１００３）。
【００６９】
サービス識別・サービス形式種別判定部１８０ｂは、設定した周波数においてＮＩＴを認識したら（Ｓ１００３  Ｙｅｓ）、そのＮＩＴの中からサービスリスト記述子を抽出する（Ｓ１００４）。サービス識別・サービス形式種別判定部１８０ｂは、抽出したサービス記述子の中からサービス識別を抽出し（Ｓ１００５）、さらにサービス形式種別を抽出する（Ｓ１００６）。
【００７０】
サービス識別・サービス形式種別判定部１８０ｂは、サービス形式種別の抽出を行う（Ｓ１００６）と、その値の判定を行う（Ｓ１００７）。
【００７１】
判定の結果、サービス形式種別の値が「デジタルＴＶサービス＝０ｘ０１」の場合（Ｓ１００７  Ｙｅｓ）、サービス識別・サービス形式種別判定部１８０ｂは、Ｓ１００５で抽出したサービス識別をサービスリストに追加するようにサービスリスト作成部１８０ｃに指示することで、サービスリスト作成部１８０ｃは、Ｓ１００５で抽出したサービス識別をサービスリストに追加する（Ｓ１００８）。サービス識別・サービス形式種別判定部１８０ｂは、設定されている周波数が規定の周波数群の上限に達しているかを確認する（Ｓ１００９）。
【００７２】
判定の結果、上限に達していないと判断した場合（Ｓ１００９  Ｎｏ）、サービス識別・サービス形式種別判定部１８０ｂは、チューナに設定する周波数を更新する（Ｓ１０１２）。以降、サービス識別・サービス形式種別判定部１８０ｂは、チューナに設定する周波数が規定の周波数群の上限に達するまで、Ｓ１００３からＳ１００９の処理を繰り返す。
【００７３】
判定の結果、上限に達したと判断した場合（Ｓ１００９  Ｙｅｓｅ）、サービス識別・サービス形式種別判定部１８０ｂは、チューナの円偏波設定を左旋円偏波に設定し（Ｓ１０１３）、チューナに設定する周波数が規定の周波数群の上限に達するまで、Ｓ１００３からＳ１００９の処理を繰り返す。
【００７４】
Ｓ１００３からＳ１００９の処理を繰り返す過程で、サービス識別・サービス形式種別判定部１８０ｂは、Ｓ１００５で抽出したサービス識別をサービスリストに追加するようにサービスリスト作成部１８０ｃに指示することで、サービスリスト作成部１８０ｃは、抽出したサービス識別をチャンネルリストに追加（Ｓ１００８）していく。
【００７５】
さらにサービス識別・サービス形式種別判定部１８０ｂは、サービスリストを作成することで認識したサービス（チャンネル）ごとに送られてくる放送波の中からＳＤＴ(Service Description Table)を抽出し、その中に含まれるサービス記述子(Service descriptor)（図４参照）に配置されている編成チャンネル名や事業者名を抽出することで、これらの情報をサービスリストに追加していくことができる。  図１１Ａは、テレビジョン受信機１００が、放送波種別がＢＳデジタルおよび高度ＢＳデジタルに対して、図１０Ａに示した処理によりサービスリストを作成した場合の、サービスリストの一例である。図１１Ａ（Ａ）が、ＢＳデジタル放送に対してテレビジョン受信機１００が作成したサービスリストである。また図１１Ａ（Ｂ）が、高度ＢＳデジタル放送に対してテレビジョン受信機１００が作成したサービスリストである。サービスリストには、サービス識別、サービス形式種別、編成チャンネル名、事業者名が含まれている。ここでサービス形式種別の内容は、図９で示したサービス形式種別のビットアサインの拡張に従った内容が含まれている。図１１Ａ（Ｂ）の例では、サービス識別が８２４、８２６、８２７においてはサービス形式種別が超高精細度４ＫＴＶサービスであり、サービス種別が２５においてはサービス形式種別が超高精細度８ＫＴＶサービスである。
【００７６】
図１０Ｂは、図９に示した拡張したサービス形式種別を持つサービスリスト記述子が配置されたＮＩＴが送られてくる場合に、一実施形態におけるテレビジョン受信機１００が、サービス識別にもとづくサービスリスト（受信可能周波数リスト）を作成する処理フローの他の例を示す図である。ただし図１０Ｂの処理フローの説明におけるテレビジョン受信機１００は、地上デジタルテレビジョン、ＢＳデジタル、広帯域ＣＳデジタル、高度ＢＳデジタル（ただし、４Ｋ画質の放送のみ）、高度広帯域ＣＳデジタルの放送波種別を受信可能とする。また図１０Ｂの処理フローは、放送波種別が高度ＢＳデジタルとして説明するが、他の放送波種別、例えば高度広帯域ＣＳデジタルの場合でも、同様の処理フローとなる。
【００７７】
図１０Ｂの処理フローは、図１０Ａの処理フローのうちＳ１００７に対応する処理であるＳ１０２７以外は、図１０Ａの処理フローと同一である。テレビジョン受信機１００は、サービス形式種別の抽出を行う（Ｓ１０２６）と、その値の判定を行う（Ｓ１０２７）。
【００７８】
判定の結果、サービス形式種別の値が「デジタルＴＶサービス（０ｘ０１）」あるいは「超高精細度４ＫＴＶサービス（０ｘＡＥ）」の場合（Ｓ１０２７  Ｙｅｓ）、テレビジョン受信機１００は、Ｓ１０２５で抽出したサービス識別をサービスリストに追加する（Ｓ１０２８）。
【００７９】
図１１Ｂは、テレビジョン受信機１００が、放送波種別がＢＳデジタルおよび高度ＢＳデジタルに対して、図１０Ｂに示した処理によりサービスリストを作成した場合の、サービスリストの一例である。図１１Ｂ（Ａ）が、ＢＳデジタル放送に対してテレビジョン受信機１００が作成したサービスリストである。また図１１Ｂ（Ｂ）が、高度ＢＳデジタル放送に対してテレビジョン受信機１００が作成したサービスリストである。サービスリストには、サービス識別、サービス形式種別、編成チャンネル名、事業者名が含まれている。
【００８０】
ここで図１１Ｂ（Ｂ）に示すサービスリストは、図１１Ａと異なり、サービス形式種別が超高精細度８ＫＴＶサービスとなるサービスは含まれていない。つまり、図１０Ａおよび図１０Ｂに示した処理によりサービスリストを作成したテレビジョン受信機１００は、自らの受信能力に応じて、高度ＢＳデジタルで放送されるサービス（チャンネル）の中から、図１１Ａ（Ｂ）および図１１Ｂ（Ｂ）に示したように４Ｋ画質放送のサービス（チャンネル）と８Ｋ画質放送のサービス（チャンネル）とを区別してサービスリストを作成することが可能である。
【００８１】
図１２Ａは、放送波種別として地上デジタルテレビジョン、ＢＳデジタル、広帯域ＣＳデジタル、高度ＢＳデジタル、高度広帯域ＣＳデジタルのすべての放送波種別が受信可能な一実施形態におけるレコーダ１２０１と、表示器可能な画素数が異なる表示器との接続の形態を示した図である。このレコーダ１２０１には、表示画素数が８Ｋの表示器１２０２、４Ｋの表示器１２０３、２Ｋの表示器１２０４を任意に接続可能である。またレコーダ１２０１は、図１２Ｂ（Ａ）に示す地上デジタルテレビジョン放送に対して作成したサービスリスト−０１、図１２Ｂ（Ｂ）に示すＢＳデジタル放送に対して作成したサービスリスト−０２および図１２Ｂ（Ｃ）に示す高度ＢＳデジタル放送に対して作成したサービスリスト−０３を持つものとする。サービスリスト−０１、サービスリスト−０２、サービスリスト−０３をまとめてサービスリスト０とする。
【００８２】
このように１つのレコーダに表示能力の異なる複数の表示器が接続している場合、レコーダ１２０１の処理能力情報部１８０ａは、接続されている８Ｋの表示器１２０２、４Ｋの表示器１２０３、２Ｋの表示器１２０４の表示能力を識別し、各々の表示器にサービス（チャンネル）を出力可能とするように、作成したサービスリスト−０１、サービスリスト−０２、サービスリスト−０３から、８Ｋの表示器１２０２に映像信号を表示するために、地上デジタルテレビジョン放送に対してはサービスリスト−０１からサービスリスト−１１を作成し、ＢＳデジタル放送に対してはサービスリスト−０２からサービスリスト１２を作成し、高度ＢＳデジタル放送に対しては、サービスリスト−０３からサービスリスト１３を作成するように、サービスリスト作成部１８０ｃに指示してもよい。ここでサービスリスト−１１、サービスリスト−１２、サービスリスト−１３をまとめてサービスリスト１とする。
【００８３】
同様にレコーダ１２０１の処理能力情報部１８０ａは、作成したサービスリスト−０１、サービスリスト−０２、サービスリスト−０３から、４Ｋの表示器１２０３に映像信号を表示するために、地上デジタルテレビジョン放送に対してはサービスリスト−０１からサービスリスト−２１を作成し、ＢＳデジタル放送に対してはサービスリスト−０２からサービスリスト２２を作成し、高度ＢＳデジタル放送に対しては、サービスリスト−０３からサービスリスト２３を作成するように、サービスリスト作成部１８０ｃに指示してもよい。ここでサービスリスト−２１、サービスリスト−２２、サービスリスト−２３をまとめてサービスリスト２とする。
【００８４】
同様にレコーダ１２０１の処理能力情報部１８０ａは、作成したサービスリスト−０１、サービスリスト−０２、サービスリスト−０３から、２Ｋの表示器１２０４に映像信号を表示するために、地上デジタルテレビジョン放送に対してはサービスリスト−０１からサービスリスト−３１を作成し、ＢＳデジタル放送に対してはサービスリスト−０２からサービスリスト３２を作成し、高度ＢＳデジタル放送に対しては、サービスリスト−０３からサービスリスト３３を作成するように、サービスリスト作成部１８０ｃに指示してもよい。ここでサービスリスト−３１、サービスリスト−３２、サービスリスト−３３をまとめてサービスリスト３とする。
【００８５】
図１２Ａのメモリ１２１０には、８Ｋ対応向けに表示するサービスリスト−１の内容を保存するエリア１２１０−１、４Ｋ対応向けに表示するサービスリスト−２の内容を保存するエリア１２１０−２、２Ｋ対応向けに表示するサービスリスト−３の内容を保存するエリア１２１０−３がある。レコーダ１２０１は、サービスリスト−０から作成した８Ｋ対応向けに表示するサービスリスト−１をエリア１２１０−１に、４Ｋ対応向けに表示するサービスリスト−２をエリア１２１０−２に、２Ｋ対応向けに表示するサービスリスト−３をエリア１２１０−３に保存する。
【００８６】
図１２Ｃから図１２Ｅは、テレビジョン受信機１００が表示器１２０２向け、表示器１２０３向けおよび表示器１２０４向けに作成したサービスリストの例を示している。図１２Ｃが表示器１２０２向けに表示するサービスリスト−１の例、図１２Ｄが表示器１２０３向けに表示するサービスリスト−２の例、図１２Ｅが表示器１２０４向けに表示するサービスリスト−３の例である。放送波種別が地上デジタルテレビジョン放送のサービスリストおよびＢＳデジタル放送のサービスリストは、表示器１２０２から１２０４すべてに共通であるが、高度ＢＳデジタル放送のサービスリストは、表示器の表示能力によってその内容が異なっていることを示している。
【００８７】
このようにテレビジョン受信機１００は、図９に示すような拡張したサービス形式種別を利用することで、表示器の表示能力に応じたサービスリストを提供することも可能である。
【００８８】
上記のレコーダ１２０１の例は、受信可能な放送波種別に対して作成したサービスリストをもとに、接続されている複数の表示器の表示能力に合わせて、その表示器ごとにサービスリストを作成したが、受信可能な放送波種別に対してサービスリストを作るのではなく、接続されている表示器の表示能力をもとに、レコーダ１２０１が受信可能な放送波種別に対してサービスリストを作成してもよい。
【００８９】
例えば図１２Ａに示すレコーダ１２０１が、４Ｋ対応の表示器１２０３と２Ｋ対応の表示器１２０４の表示器とだけ接続しているとする。レコーダ１２０１は、地上デジタルテレビジョン、ＢＳデジタル、広帯域ＣＳデジタル、高度ＢＳデジタル、高度広帯域ＣＳデジタルのすべての放送波種別が受信可能であるが、制御部ａに含まれる接続されている表示器の表示能力と受信したサービス形式種別を用いて、４Ｋ対応の表示器１２０３向けに表示するサービスリストおよび２Ｋ対応の表示器１２０４向けに表示するサービスリストだけを作成してもよい。この場合、４Ｋ対応の表示器１２０３向けに作成されたサービスリストは、図１２Ｄに示す内容となり、２Ｋ対応の表示器１２０４向けに作成されたサービスリストは、図１２Ｅに示す内容となる。
【００９０】
またレコーダ１２０１は、接続されている表示器の表示能力に合わせて、（ここはダウンコンバートのことを言っているのでしょうか？であれば、“表示能力に関わらず”ではなく、表示能力に合わせてすべての放送波種別をダウンコンバードして表示することになります）、受信可能な放送波種別の番組を表示器に表示できるようにダウンコンバートできる制御する機能を持っていてもよい。  図３Ｂに示したサービス形式種別のビットアサインに対する拡張の例は、図９の例に限定されるものではない。
【００９１】
図１３Ａおよび図１３Ｂは、図３Ｂに示したサービス形式種別のビットアサインに対する拡張の他の例を示している。
【００９２】
図１３Ａの１３０２は、ビットアサイン０ｘＡＤとその値の意味である超高精細度４Ｋ専用ＴＶサービスを示している。ただし図１３Ａの超高精細度４Ｋ専用ＴＶサービスは、図３Ｂの超高精細度４Ｋ専用ＴＶサービスと異なり、放送波種別が高度ＢＳデジタル、高度広帯域ＣＳデジタルをも含めたサービス種別を意味している場合である。
【００９３】
図１３Ｂは、図１３Ａの場合に対して放送波種別が高度ＢＳデジタルの８Ｋ画質放送のサービス（チャンネル）を、１３０５のビットアサイン０ｘＡＦとして割り当てた例である。図１３Ｂの超高精細度４Ｋ専用ＴＶサービスは、放送波種別が高度ＢＳデジタル、高度広帯域ＣＳデジタルの中で４Ｋ画質放送のみを行うサービス種別を意味し、超高精細度８ＫＴＶサービスは、放送波種別が高度ＢＳデジタル（８Ｋ画質放送のサービス（チャンネル））のサービス種別を意味している。
【００９４】
図１４は、一実施形態におけるリモートコントローラ２００に設けられている各種ボタン（キー或いは操作子と言う場合もある）を示している。
【００９５】
リモートコントローラ２００には、電源ボタン２０１、地上デジタルテレビジョン放送を受信するときに選択される地上波と表記のボタン２０２、ＢＳ放送を受信するときに選択されるＢＳボタン（ＢＳと表記のボタンと称してもよい）２０３、ＣＳ放送を受信するときに選択されるＣＳボタン（ＣＳと表記のボタンと称してもよい）２０４、また、ＢＳ４Ｋ放送，ＢＳ８Ｋ放送，ＣＳ４Ｋ放送などを受信するときに利用可能な高度ボタン（高度と表記のボタンと称してもよい）２０５が設けられている。なおこれらのボタンは放送波種別選択ボタンと称してもよい。
【００９６】
上記高度ボタン２０５は、高度ＢＳと高度広帯域ＣＳに対して利用すべきであるとして、特定されているわけではない。
【００９７】
さらにチャンネル選択を行う場合に利用するチャンネル選択ボタン群２１０（１〜１２の表記ボタン、或は１２ポジションキーと称される場合もある）が設けられている。またカーソル操作ボタン２１１、決定ボタン２１２、電子番組表（ＥＰＧ）を表示させるためのＥＰＧボタン２１３、メニューを表示させるためのメニューボタン２１４なども設けられている。また、チャンネルをアップ方向、ダウン方向へ任意にシーク（アップダウン選局）させる場合のチャンネル選択ボタン２２０も設けられている。
【００９８】
また選局を行うには、表示器の画面に表示されるガイド画面を利用して、３桁のチャンネル番号を入力する方法もある。
【００９９】
図１５、図１６には、リモートコントローラの放送波種別の選択ボタンと、サービスを選択するための選局ボタンとの各種組み合わせ例を示している。またここでは選局ボタンの操作形態を説明している。以下、各例を説明する。
【０１００】
（Ａ）
まず、図１５のブロック６ａ１内に示すように、受信する放送種別を地上波、２ＫＢＳ、２ＫＣＳ、４ＫＢＳ、４ＫＣＳ、と独立して選局する場合の各種ボタンの組み合わせ例（編成例）を説明する。    （第１例）図１５のブロック６ｂ１に示すように、放送波種別を選択するボタンとしては、地上波、ＢＳ、ＣＳ、４ＫＢＳ、４ＫＣＳと表記の５つのボタンを用意する実施例が可能である。これらのいずれかが選択された場合は、当該選択されたサービス形式種別において、最後に受信していたサービス（チャンネル）が選局されてもよい。又は、選択されたサービス形式種別が画面上で表示され、受信機は、ユーザのチャンネル選局を待つ待機状態となってもよい。
【０１０１】
チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。なお電子番組案内（ＥＰＧ）表示では、各放送波種別に応じたチャンネルが表示される。
【０１０２】
図１７（ａ）は、先の図１５のブロック６ｂ１を参照して説明した第１例によるリモートコントローラ２００上の主なボタン配置の外観を示す図である。
【０１０３】
ボタンとしては、地上波と表記のボタン２０２、ＢＳと表記のボタン２０３、ＣＳと表記のボタン２０４、４ＫＢＳと表記のボタン、４ＫＣＳと表記のボタンが設けられている。
【０１０４】
（第２例）図１５のブロック６ｂ２に示すように、放送波種別を選択するボタンとしては、地上波、ＢＳ、ＣＳ、高度（高度に代えて４ＫＢＳ／ＣＳ、或は４ＫＢＳ／４ＫＣＳと表記してもよい）と表記した４つのボタンを用意する実施例が可能である。ＢＳと表記されたボタン、ＣＳと表記されたボタンのいずれかが選択された場合は、当該選択された放送波種別において、最後に受信していたチャンネルが自動的に選局されてもよい。
【０１０５】
高度と表記されたボタンが選択された場合は、このボタンを繰り返す押すことにより、高度ＢＳと高度広帯域ＣＳの放送波種別がサイクリックに選択され、当該選択された放送波種別において、最後に受信していたチャンネルが自動的に選局されてもよい。そして、この選択状況は、例えば表示器の画面上に、例えば高度ＢＳ→高度ＣＳ→高度ＢＳ→高度ＣＳ→・・・のようにサイクリックに表示されてもよい。ユーザは、所望の放送波種別が表示されているときに、チャンネルの選択を行えばよい。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。この例では、ボタン数が先の第１例より削減できる。
【０１０６】
図１７（ｂ）は、先の図１５を参照して説明した第２例によるリモートコントローラ２００上の主なボタン配置の外観を示す図である。ボタンとしては、地上波と表記のボタン２０２、ＢＳと表記のボタン２０３、ＣＳと表示のボタン２０４、高度と表記のボタン２０５が設けられている。
【０１０７】
（第３例）図１５のブロック６ｂ３に示すように、放送波種別を選択するボタンとしては、地上波、２Ｋ／４ＫＢＳ、２Ｋ／４ＫＣＳと表記の３つのボタンを用意する実施例が可能である。２Ｋ／４ＫＢＳボタンが選択された場合は、このボタンを繰り返し押すことにより、２ＫＢＳと高度ＢＳの放送波種別がサイクリックに選択される。この選択状況は、例えば表示器の画面上に、例えば２ＫＢＳ→高度ＢＳ→２ＫＢＳ→高度ＢＳ→・・・のようにサイクリックに表示されてもよい。２Ｋ／４ＫＣＳボタンが選択された場合は、このボタンを繰り返し押すことにより、２ＫＣＳと高度ＣＳの放送波種別がサイクリックに選択され、当該選択された放送波種別において、最後に受信していたチャンネルが自動的に選局されてもよい。この選択状況は、例えば表示器の画面上に、例えば２ＫＣＳ→高度ＣＳ→２ＫＣＳ→高度ＣＳ→・・・のようにサイクリックに表示される。ユーザは、所望の放送波種別が表示されているときに、チャンネルの選択を行えばよい。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。この例では、ボタン数が先の第２例よりもさらに削減できる。
【０１０８】
図１７（ｃ）は、先の図１５を参照して説明した第３例によるリモートコントローラ２００上の主なボタン配置の外観を示す図である。
【０１０９】
（第４例）ブロック６ｂ４に示すように、放送波種別を選択するボタンとしては、放送と表記の１つのボタンを用意する実施例が可能である。このボタンを繰り返す押すことにより、例えば、地上波、２ＫＢＳ、２ＫＣＳ、４ＫＢＳ，４ＫＣＳがサイクリックに切り替わり、当該選択された放送波種別において、最後に受信していたチャンネルが自動的に選局されてもよい。
【０１１０】
この選択状況は、例えば表示器１７２ａの画面上に、例えば地上波→２ＫＢＳ→２ＫＣＳ→４ＫＢＳ→４ＫＣＳ→２ＫＢＳ→２ＫＣＳ→４ＫＢＳ→４ＫＣＳ→・・・のようにサイクリックに表示される。なお地上波と表示のボタンが別途設けられて、地上波は、現状と同様な手法で選局されてもよい。
【０１１１】
ユーザは、所望の放送波種別が表示されているときに、チャンネルの選択を行えばよい。またチャンネル選局方法としては、第１例と同様に、チャンネル選択ボタン群２１０、又はチャンネル選択ボタン２２０を用いることができる。この例は、ボタン数が先の第２例よりもさらに削減できる。
【０１１２】
図１７（ｄ）は、図１５を参照して説明した第４例によるリモートコントローラ２００上の主なボタン配置の外観を示す図である。図１７（ｄ）では、地上波と表記のボタン２０２が独立している様子を示した。
【０１１３】
（Ｂ）
図１５のブロック６ａ２内に示すように、受信する放送波種別を地上波、２ＫＢＳ、２ＫＣＳ、４Ｋ／８ＫＢＳ、４ＫＣＳとした場合の各種ボタンの組み合わせ例（編成例）を説明する。
【０１１４】
（第５例）図１５のブロック６ｂ５に示すように、放送波種別を選択するボタンとしては、地上波、ＢＳ、ＣＳ、８ＫＢＳ、４ＫＣＳと表記の５つのボタンを用意する実施例が可能である。
【０１１５】
なおこの場合、８ＫＢＳと表示のボタンが選択された場合は、８ＫＢＳと４ＫＢＳの各チャンネルが選択可能なモードとなる。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。チャンネルが選択されたとき、放送波種別（４ＫＢＳ又は８ＫＢＳ）とチャンネル番号が一時的に表示部１７２ａに表示されてもよい。
【０１１６】
上記した地上波、ＢＳ、ＣＳ、８ＫＢＳ、４ＫＣＳと表記の５つのボタンのいずれかが選択された場合は、当該選択された放送波種別において、前回最後に受信していたチャンネルが自動的に選局されてもよい。
【０１１７】
図１８（ａ）は、先の図１５を参照して説明した第５例によるリモートコントローラ２００上の主なボタン配置の外観を示す図である。
【０１１８】
（第６例）図１５のブロック６ｂ６に示すように、放送波種別を選択するボタンとしては、地上波、ＢＳ、ＣＳ、高度（８ＫＢＳ／ＣＳと記載してもよい）と表記の４つのボタンを用意する実施例が可能である。
【０１１９】
なおこの場合、高度と表示のボタンが選択された場合は、４ＫＢＳと８ＫＢＳと４ＫＣＳの各チャンネルが選択可能なモードとなる。チャンネルが選択されたとき、放送波種別（４ＫＣＳ又は４ＫＢＳ又は８ＫＣＳ）とチャンネル番号が一時的に表示部１７２ａに表示されてもよい。
【０１２０】
上記した地上波、ＢＳ、ＣＳ、高度と表記の４つのボタンのいずれかが選択された場合は、当該選択された放送波種別において、前回最後に受信していたチャンネルが自動的に選局されてもよい。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。この例は、ボタン数が先の第５例よりもさらに削減できる。
【０１２１】
図１８（ｂ）は、図１５を参照して説明した第６例によるリモートコントローラ２００上の主なボタン配置の外観を示す図である。このボタン編成であると、図１８（ａ）のボタン編成に比べてボタン数が削減している。
【０１２２】
（第７例）図１５のブロック６ｂ７に示すように、放送波種別を選択するボタンとしては、２Ｋ／８ＫＢＳ、２Ｋ／４ＫＣＳと表記の２つのボタンを用意する実施例が可能である。
【０１２３】
なおこの場合、２Ｋ／８ＫＢＳと表示のボタンが選択された場合は、２ＫＢＳと４ＫＢＳと８ＫＢＳの各チャンネルが選択可能なモードとなる。また２Ｋ／４ＫＣＳと表示のボタンが選択された場合は、２ＫＣＳと４ＫＣＳの各チャンネルが選択可能なモードとなり、当該選択された放送波種別において、最後に受信していたチャンネルが自動的に選局されてもよい。
【０１２４】
チャンネルが選択されたときのモードが、ＢＳ選択モードであれば、放送波種別（２ＫＢＳと４ＫＢＳと８ＫＢＳの何れか）とチャンネル番号が一時的に表示部１７２ａに表示されてもよい。チャンネルが選択されたときのモードが、ＣＳ選択モードであれば、放送波種別（２ＫＢＳと４ＫＢＳと８ＫＢＳの何れか）とチャンネル番号が一時的に表示部１７２ａに表示されてもよい。この例は、ボタン数が先の第６例よりもさらに削減できる。
【０１２５】
図１８（ｃ）は、図１５を参照して説明した第７例によるリモートコントローラ２００上の主なボタン配置の外観を示す図である。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。
【０１２６】
（第８例）図１５のブロック６ｂ８に示すように、放送波種別を選択するボタンとしては、放送と表記の１つのボタンを用意する実施例が可能である。このボタンを繰り返す押すことにより、例えば、地上波、２ＫＢＳ、２ＫＣＳ、（４ＫＢＳ／８ＫＢＳ）、４ＫＣＳの受信モードが自動的に切り替わり、当該選択された放送波種別において、最後に受信していたチャンネルが自動的に選局されてもよい。なお（４ＫＢＳ／８ＫＢＳ）として記載したのは、高度ＢＳとして、４ＫＢＳと８ＫＢＳが１つの放送波種別として扱われるからである。なおこの実施形態において、地上波と表示のボタンが別途設けられて、地上波は、現状と同様な手法で選局されてもよい。
【０１２７】
チャンネルが選択されたときのモードが、高度ＢＳの選択モードであれば、放送波種別（４ＫＢＳ／８ＫＢＳの何れか或いは高度ＢＳ）とチャンネル番号が一時的に表示部１７２ａに表示されてもよい。この例は、ボタン数が先の例よりもさらに削減できる。
【０１２８】
図１８（ｄ）は、先の図１５を参照して説明した第８例によるリモートコントローラ２００の主なボタン配置の外観を示す図である。図１８（ｄ）では、地上波と表記のボタン２０２が独立している様子を示した。チャンネル選局方法としては、ユーザが、チャンネル選択ボタン群２１０（１〜１２を表記しているボタン）の何れかのボタンを操作するか、又はチャンネル選択ボタン２２０を操作してチャンネル選局をシーク（アップダウン選局）する方法が可能である。
【０１２９】
図１６は、高度ＢＳ、高度ＣＳの放送波種別の各チャンネル（サービス）がシームレスで選局できる場合のボタン編成と、選局方法を説明している。高度ＢＳと高度ＣＳの放送波種別において、各サービス（チャンネル）は、同じ3桁番号が重複しないように割り当てられている。このために、各チャンネルを選局する場合、放送波種別を判定しなくとも、アップダウン選局方法（いわゆるシームレス選局方法）により所望チャンネルを選局することが可能である。またＥＰＧにおいても各チャンネルをシームレスに表記することが可能である。
【０１３０】
（第９例）図１６のブロック７ａ１は、選局対象となる放送波種別が地上波、ＢＳデジタル、広帯域ＣＳデジタル、高度ＢＳデジタル、高度広帯域ＣＳデジタルの場合を示している。
【０１３１】
この場合のボタンとして、ブロック７ｂ１に示すように、地上波、ＢＳ、ＣＳ、高度（４ＫＢＳ／ＣＳ，あるいは４ＫＢＳ／４ＫＣＳと表示してもよい）と表記のボタンを用意する実施例が可能である。高度のボタンは、高度ＢＳおよび高度ＣＳの放送種別におけるラストチャネルを選局できるボタンである。
【０１３２】
地上波、ＢＳ、ＣＳ、高度と表記したボタンのいずれかが選択された場合、当該選択された放送波種別において、前回最後に受信していたチャンネルが自動的に選局されてもよいチャンネルが選択されたとき、放送波種別（地上波、ＢＳ、ＣＳ、高度（４ＫＢＳと４ＫＣＳ）のいずれか）とチャンネル番号が一時的に表示部１７２ａに表示されてもよい。
【０１３３】
電子番組案内表（ＥＰＧ）が表示されるときは、各放送波種別（地上波、ＢＳ、ＣＳ、高度（４ＫＢＳと４ＫＣＳ））のチャンネル表示がなされる。（高度ＢＳと高度広帯域ＣＳはＥＰＧでシームレスに表示されます）  図１９（ａ）は、図１６を参照して説明した第９例によるリモートコントローラ２００の主なボタン配置の外観を示す図である。
【０１３４】
（第１０例）図６のブロック７ｂ２は、選局対象が地上波、２ＫＢＳ、２ＫＣＳ、４ＫＢＳ／８ＫＢＳ、４ＫＣＳの場合を示している。
【０１３５】
この場合のボタンとして、ブロック７ｂ２に示すように、地上波、ＢＳ、ＣＳ、高度（８ＫＢＳ／ＣＳ，あるいは８ＫＢＳ／４ＫＢＳ／４ＫＣＳと表示してもよい）と表記のボタンを用意する実施例が可能である。
【０１３６】
地上波、ＢＳ、ＣＳ、高度と表記したボタンのいずれかが選択された場合、当該選択された放送波種別において、前回最後に受信していたチャンネルが自動的に選局されてもよい。チャンネルが選択されたとき、放送波種別（地上波、ＢＳ、ＣＳ、４ＫＢＳ、４ＫＣＳ、８ＫＢＳのいずれか）とチャンネル番号が一時的に表示部１７２ａに表示されてもよい。
【０１３７】
電子番組案内表（ＥＰＧ）が表示されるときは、各放送波種別（地上波、ＢＳ、ＣＳ、４ＫＢＳ、４ＫＣＳ、８ＫＢＳ）のチャンネル表示がなされる。（高度ＢＳと高度広帯域ＣＳはＥＰＧでシームレスに表示されます）
図１９（ｂ）は、図１６を参照して説明した第１０例によるリモートコントローラ２００の主なボタン配置の外観を示す図である。
【０１３８】
（第１１例）図１６のブロック７ｂ３は、選局対象が地上波、８ＫＢＳ（４ＫＢＳも含む）の場合を示している。この場合のボタンとして、ブロック７ｂ３に示すように、８ＫＢＳと表記のボタンを用意する実施例が可能である。この場合、高度ＢＳ対応受信機（高度広帯域ＣＳ対応を含んでもよい）で８Ｋチャンネルをダイレクトに選局したい場合、例えば、パブリックビューイングのような使用形態の場合、ダイレクトな選局が可能になる。
【０１３９】
なお、リモートコントローラ２００に好みのチャンネルを登録可能なお好みボタンを設けてもよい。お好みチャンネルは、例えば１２個のポジションキーに対応させて登録してもよい。また登録した後、シームレスのチャンネル選択ボタンを用いると、お好みチャンネルをシームレスに選択することができる。なお、任意のボタンが選択された場合、或は受信装置の電源がオンされた場合、前回最後に受信していたチャンネルが自動的に選局される。
【０１４０】
この場合も電子番組案内表（ＥＰＧ）が表示されたときは、登録したお好みチャンネルの表示がなされる。
【０１４１】
図２０は、リモートコントローラ２００の変形例を示している。このリモートコントローラ２００は、４Ｋの解像度までの信号を受信できるテレビジョン受信機と、８Ｋの解像度までの信号を受信できるテレビジョン受信機の両方の販売に付随する場合に有効である。
【０１４２】
表に現れているボタンは、地上波と表記のボタン２０２、ＢＳと表記のボタン２０３、ＣＳと表記のボタン２０４、高度と表記のボタン２０５である。しかし、ボタン２３１は、通常は、キャップが被せられて表に現れていない場合がある。このボタン２３１は、例えば８ＫＢＳを受信する能力のいわゆる８Ｋテレビジョン装置に対して用いるもので、当該８Ｋテレビジョン装置が新しく購入された場合に利用できるようになっている。
【０１４３】
図２１は、上記したリモートコントローラ２００により操作されるテレビジョン受信機１００の基本的な動作例を簡略化して示している。この動作を実現するプログラムは、統合制御部１８０が管理している。
【０１４４】
リモートコントローラからのコマンドを受信すると（ＳＡ１）、コマンドが番組（チャンネル）選択コマンドか否かを判断する（ＳＡ２）。このコマンドが存在した場合、このコマンドに対応する番組が存在するか否かを判断する（ＳＡ３）。この判断は、ＥＰＧ或いは他のサービス情報などをチェックすることにより行う。
【０１４５】
このチェックの結果、当該番組が存在しない（受信チャンネルが設定されていない）、或は休止中であった場合、受信チャンネルが設定されていないこと、休止中であることのメッセージを表示して終了する（ＳＡ４、ＳＡ１３）。
【０１４６】
チェックの結果（ＳＡ３）、当該番組が存在した場合は、番組（チャンネル）の切換えを行い（ＳＡ５）、終了する（ＳＡ１３）。
【０１４７】
先のステップＳＡ２において、受信したコマンドがチャンネル選択コマンドでないことが判断された場合、放送波種別（２ＫＢＳ，２ＫＣＳ、４ＫＢＳ、８ＫＢＳ、４ＫＣＳなど）を選択するためのコマンドであるかどうかを判断する（ＳＡ６）。コマンドが放送波種別の選択コマンドであった場合、当該サービスが行われているかどうかを判断する（ＳＡ７）。
【０１４８】
ここで、このチェックの結果、当該放送波種別が存在しない、或は休止中であった場合、放送波種別が休止中であることのメッセージを表示して終了する（ＳＡ８、ＳＡ１３）。チェックの結果（ＳＡ７）、当該放送波種別が存在した場合は、放送波種別を受信する切換えを行い（ＳＡ９）、終了する（ＳＡ１３）。
【０１４９】
ステップＳＡ６のコマンド判断において、放送波種別選択コマンドではないことが判断された場合、他のコマンドの判定（ＳＡ１１）を行い、判定したコマンドに基づく処理を行い（ＳＡ１２）、終了する（ＳＡ１３）。
【０１５０】
上記した放送波種別の選択方法と手段、チャンネル選局の方法と手段の種々の実施形態を説明したが、これらの各実施形態は、独立するものではなく、複数の実施形態が組み合わせされて実施されてもよいことは勿論である。
【０１５１】
放送波種別の種類は、上記したように多種類が存在する。しかし、これらの放送波種別の全てが常に絶え間なく放送されているとは限らない。また多数のチャンネルにおいて、送信が実行される場合（時間帯）と実行されない場合（時間帯）が存在する。
【０１５２】
上記した受信装置の動作を補償するために、放送局からは、放送波種別が現在休止中であるか否かのサービス情報を送信している。また選択されたチャンネルも現在休止中であるのか否かを示すサービス情報を送信している。
【０１５３】
そして受信装置としては、高度放送波種別（高度ＢＳ及び又は高度ＣＳ、８ＫＢＳなど）の受信を指示する受信命令に対して、サービス種別の情報を参照する手段と、前記参照の結果、前記選択を指示された高度放送波種別が放送休止中である場合には、休止中であることのメッセージを出力する出力手段を備える。該メッセージは、放送時間が終了している場合も含むものである。
【０１５４】
また受信装置としては、高度放送波種別（高度ＢＳ及び又は高度ＣＳ、８ＫＢＳなど）の受信中に入力されたチャンネル選択命令に対して、高度放送波種別のチャンネルの情報を参照する手段と、前記参照の結果、前記選択を指示されたチャンネルが存在しない場合には、チャンネルが存在しないことのメッセージを出力する出力手段を備える。また電波状況により、前記選択を指示されたチャンネルが十分なレベルで受信できない場合がある。この場合は、チャンネルを受信できないと言う旨のメッセージを出力することができる。
【０１５５】
放送局は、高度放送波種別（高度ＢＳ及び又は高度ＣＳ、８ＫＢＳ）の情報、高度放送波種別のチャンネルの情報を送信する必要がある。しかし放送局は、全ての放送局がこのような情報を送信する必要はなく、いずれかの放送局が代表して総合サービス情報として送信してもよい。この場合は、各受信装置は、当該代表となる放送局の電波を定期的或いは、放送波種別の受信が他の放送波種別の受信に切換えられたときに、前記総合サービス情報を受信することが好ましい。
【０１５６】
受信装置は、制御部により、複数の放送波種別（高度ＢＳ及び又は高度ＣＳ、８ＫＢＳ／４ＫＢＳ）ごとのチューナ選択情報を記述した第１テーブルと、前記複数の放送波種別（高度ＢＳ及び又は高度ＣＳ、８ＫＢＳ／４ＫＢＳ）ごとに設定されているチャンネル選択情報を記述した第２テーブルとを構築する機能を備えることが好ましい。
【０１５７】
上記に説明した例では、高度ＢＳと高度ＣＳがシームレスに選択可能となる選局例を説明したが、シームレスに選択するのは高度ＢＳと高度ＣＳの場合に限らない。
【０１５８】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５９】
１００・・・テレビジョン受信機、１０１・・・地デジチューナ、１０２・・・ＢＳチューナ、１０３・・・ＣＳチューナ、１２１、１３１、１４１・・・２Ｋデコーダ、１３２、１４２・・・４Ｋデコーダ、１３３・・・８Ｋデコーダ、１５０・・・セレクタ、１６０・・コンテンツ処理部、１７１・・・表示信号出力部、１７２ａ・・・表示器、１７３・・・オーディオ信号出力部、１７４・・・スピーカ。
【図１】
2020080558.tif 000003
【図２Ａ】
2020080558.tif 000004
【図２Ｂ】
2020080558.tif 000005
【図２Ｃ】
2020080558.tif 000006
【図３Ａ】
2020080558.tif 000007
【図３Ｂ】
2020080558.tif 000008
【図４】
2020080558.tif 000009
【図５】
2020080558.tif 000010
【図６】
2020080558.tif 000011
【図７】
2020080558.tif 000012
【図８】
2020080558.tif 000013
【図９】
2020080558.tif 000014
【図１０Ａ】
2020080558.tif 000015
【図１０Ｂ】
2020080558.tif 000016
【図１１Ａ】
2020080558.tif 000017
【図１１Ｂ】
2020080558.tif 000018
【図１２Ａ】
2020080558.tif 000019
【図１２Ｂ】
2020080558.tif 000020
【図１２Ｃ】
2020080558.tif 000021
【図１２Ｄ】
2020080558.tif 000022
【図１２Ｅ】
2020080558.tif 000023
【図１３Ａ】
2020080558.tif 000024
【図１３Ｂ】
2020080558.tif 000025
【図１４】
2020080558.tif 000026
【図１５】
2020080558.tif 000027
【図１６】
2020080558.tif 000028
【図１７】
2020080558.tif 000029
【図１８】
2020080558.tif 000030
【図１９】
2020080558.tif 000031
【図２０】
2020080558.tif 000032
【図２１】
2020080558.tif 000033